(57)【要約】【課題】  長期間にわたり、ブッシングクロスの耐摩耗性および滑性を良好に維持でき、それにより、鍵の滑らかな回動動作を安定して確保できるとともに、より安価に製造することができる鍵盤楽器の鍵を提供する。【解決手段】  ピン１１、１２に係合した状態で取り付けられ、押鍵に伴って回動する鍵盤楽器の鍵２、３であって、互いに対向する左右の壁面４ｃ、４ｃ、５ａ、５ａを有し且つ下方に開放するピン孔４、５が形成され、ピン孔４、５を介してピン１１、１２に回動自在に係合する鍵本体２ａ、３ａと、フッ素樹脂の繊維で構成され、ピン孔４、５の左右の壁面４ｃ、４ｃ、５ａ、５ａにそれぞれ貼り付けられたブッシングクロス４ｄ、５ｂと、を備えている。【選択図】  図３
2009025344.tif 000002
【特許請求の範囲】
【請求項１】
ピンに係合した状態で取り付けられ、押鍵に伴って回動する鍵盤楽器の鍵であって、
互いに対向する左右の壁面を有し且つ下方に開放するピン孔が形成され、当該ピン孔を介して前記ピンに回動自在に係合する鍵本体と、
フッ素樹脂の繊維で構成され、前記ピン孔の前記左右の壁面にそれぞれ貼り付けられたブッシングクロスと、
を備えていることを特徴とする鍵盤楽器の鍵。
【発明の詳細な説明】
【技術分野】
【０００１】
本発明は、押鍵に伴って回動する鍵盤楽器の鍵に関し、特に、ピンとの係合部にブッシングクロスを用いる、アコースティックピアノなどの鍵に関する。
【背景技術】
【０００２】
従来のこの種の鍵盤楽器の鍵として、例えば特許文献１に開示されたものが知られている。この鍵は、アップライトピアノ用のものであり、前後方向に延びる鍵本体を備えている。鍵本体の中央には、上下方向に貫通するバランスピン孔が形成されており、このバランスピン孔の互いに対向する左右の壁面には、ブッシングクロスがそれぞれ貼り付けられている。また、鍵本体の下面の前端部には、下方に開放するフロントピン孔が形成されており、このフロントピン孔の左右の壁面にも、ブッシングクロスがそれぞれ貼り付けられている。
【０００３】
これらのブッシングクロスは、羊毛製のクロスにフッ素樹脂をコーティングしたもので構成されており、次のようにして製造される。まず、羊毛繊維を編んだクロスをフッ素樹脂水溶液に含浸し、飽和させることによって、羊毛繊維の表面にフッ素樹脂をコーティングする。次に、このクロスを、フッ素樹脂水溶液から取り出した後、それぞれの所定の温度および時間で順次、乾燥および加熱することにより、フッ素樹脂を硬化させることによって、ブッシングクロスが製造される。
【０００４】
以上の構成の鍵は、バランスピン孔が左右のブッシングクロスを介してバランスピンに係合した状態で、筬に回動自在に支持されている。また、フロントピン孔は、左右のブッシングクロスを介してフロントピンに係合している。押鍵時、鍵はバランスピンを中心として回動し、その際、バランスピン孔およびフロントピン孔のブッシングクロスは、バランスピンおよびフロントピンにそれぞれ摺接する。また、フロントピンにより、鍵の左右方向のぶれが防止される。
【０００５】
しかし、この従来のブッシングクロスは、羊毛繊維の表面にフッ素樹脂がコーティングされているだけなので、押鍵に伴ってバランスピンなどに対する摺動が繰り返されると、フッ素樹脂が摩耗したり、羊毛繊維の表面から剥がれ落ちたりするおそれがあり、その場合には、羊毛繊維が露出し、バランスピンなどに直接、接触するようになる。この状態になると、羊毛繊維の耐摩耗性がフッ素樹脂よりも低いために、ブッシングクロスの摩耗が進行し、鍵のがたつきが生じやすくなるとともに、羊毛繊維の滑性がフッ素樹脂よりも低いために、鍵の回動時にノイズが生じやすくなり、鍵の円滑な回動動作が阻害されてしまう。
【０００６】
また、前述したように、このブッシングクロスは、羊毛繊維にフッ素樹脂をコーティングするために、フッ素樹脂の含浸、乾燥や加熱などの多くの工程を経なければならず、鍵の製造コストの上昇を招く。
【０００７】
本発明は、以上のような課題を解決するためになされたものであり、長期間にわたり、ブッシングクロスの耐摩耗性および滑性を良好に維持でき、それにより、鍵の滑らかな回動動作を安定して確保できるとともに、より安価に製造することができる鍵盤楽器の鍵を提供することを目的とする。
【０００８】
【特許文献１】特開平９−２５８７２０号公報
【発明の開示】
【課題を解決するための手段】
【０００９】
上記の目的を達成するために、請求項１に係る発明は、ピンに係合した状態で取り付けられ、押鍵に伴って回動する鍵盤楽器の鍵であって、互いに対向する左右の壁面を有し且つ下方に開放するピン孔が形成され、ピン孔を介してピンに回動自在に係合する鍵本体と、フッ素樹脂の繊維で構成され、ピン孔の左右の壁面にそれぞれ貼り付けられたブッシングクロスと、を備えていることを特徴とする。
【００１０】
この鍵盤楽器の鍵によれば、押鍵に伴って鍵が回動するとともに、この鍵の回動の際、ピン孔の左右の壁面に貼り付けられたブッシングクロスは、ピンに摺接し、鍵のがたつきやノイズの発生を抑制する役割を果たす。
【００１１】
本発明では、このブッシングクロスがフッ素樹脂の繊維で構成されているので、湿度などの環境が変化した場合でも、膨潤したり収縮したりせず、左右のブッシングクロス間の間隔がほぼ一定に保たれる。また、フッ素樹脂が高い耐摩耗性および滑性を有するとともに、ブッシングクロスを構成する繊維全体がフッ素樹脂で構成されているので、長期間の使用によりブッシングクロスの表面部分が摩耗したとしても、ブッシングクロスの耐摩耗性および滑性は良好に維持される。その結果、ブッシングクロスの摩耗の進行による鍵のがたつきや、滑性の低下によるノイズが生じることなく、鍵の滑らかな回動動作を安定して確保することができる。
【００１２】
また、ブッシングクロスを構成する繊維全体がフッ素樹脂で構成されるので、従来のブッシングクロスと異なり、フッ素樹脂をコーティングするための含浸などの工程は不要であり、例えば市販のフッ素樹脂の繊維を用いることが可能になる。その結果、ブッシングクロスの製造コストを削減でき、鍵をより安価に製造することができる。
【発明を実施するための最良の形態】
【００１３】
以下、本発明の好ましい実施形態を図面を参照しながら詳細に説明する。図１は、本発明の一実施形態によるアップライトピアノの鍵盤装置を示している。この鍵盤装置１は、多数の白鍵２および黒鍵３（それぞれ１つのみ図示）を備えている。なお、以下の説明では、白鍵２および黒鍵３を総称して、適宜「鍵１０」という。
【００１４】
白鍵２は、鍵本体２ａと、その前部に取り付けられた白鍵カバー２ｂを有している。鍵本体２ａは、例えばスプルスなどの木質材で構成され、前後方向に延び、矩形の断面を有している。また、白鍵カバー２ｂは、アクリルなどの合成樹脂の成形品で構成され、Ｌ字状の側面形状を有し、鍵本体２ａの上面前半部から前面にわたり、これらを覆うように貼り付けられている。黒鍵３は、白鍵２の鍵本体２ａよりも短い鍵本体３ａと、その上面前部に貼り付けられ、フェノールなどの合成樹脂の成形品で構成された黒鍵カバー３ｂを有している。
【００１５】
白鍵２および黒鍵３の他の構成は、基本的に互いに同じであるので、以下、これらを代表して白鍵２について説明する。鍵本体２ａの上面後端部には、それよりも堅い堅木で構成された先座板６が取り付けられており、先座板６にはキャプスタン６ａが立設されている。キャプスタン６ａの上方にはアクションおよびハンマーなど（いずれも図示せず）が設けられている。
【００１６】
また、鍵本体２ａの上面中央部には、堅木で構成された中座板７が貼り付けられており、鍵本体２ａから中座板７にわたり、これらを上下方向に貫通するように、バランスピン孔４が形成されている。図２および図３に示すように、バランスピン孔４は、鍵本体２ａの下端部の丸孔部４ａと、その上側に連なるガイド長孔部４ｂで構成されている。このガイド長孔部４ｂは、互いに対向する左右の壁面４ｃ、４ｃによって形成され、前後方向に延びている。
【００１７】
バランスピン孔４には、ガイド長孔部４ｂの壁面４ｃ、４ｃの上部から中座板７の上面にわたって、左右２つのブッシングクロス４ｄ、４ｄが貼り付けられており、Ｌ字状に形成されている。これらのブッシングクロス４ｄは、フッ素樹脂の繊維シートで構成されている。この繊維シートは、前述した従来のブッシングクロスと異なり、その繊維全体がＰＴＦＥなどのフッ素樹脂で構成されており、所定の厚さ（例えば１．３ｍｍ）と目付量（例えば９００ｇ／ｍ2） を有する市販のものが用いられている。
【００１８】
また、図４および図５に示すように、鍵本体２ａの下面の前端部には、フロントピン孔５が形成されている。このフロントピン孔５は、上方が閉鎖され、下方に開放するめくら孔であり、所定の一定の幅、長さおよび深さを有するスリット状に形成されている。
【００１９】
フロントピン孔５には、その左右の壁面５ａ、５ａから鍵本体２ａの下面にわたって、左右のブッシングクロス５ｂ、５ｂが貼り付けられている。各ブッシングクロス５ｂは、前述したバランスピン孔４のブッシングクロス４ｄと同様のフッ素樹脂の繊維シートで構成されている。
【００２０】
一方、図１に示すように、棚板（図示せず）上には、その前部から中央にわたる部分に筬８が、後部に筬後９が、それぞれ設けられている。筬８は、その後部に筬中８ａを有し、白鍵２および黒鍵３の前端部にそれぞれ相当する位置に筬前８ｂ、８ｂを有している。以上の筬８、筬中８ａ、筬前８ｂおよび筬後９はいずれも、左右方向に延びている。
【００２１】
筬中８ａには、白鍵２および黒鍵３に相当する位置に、多数のバランスピン１１が立設されており、また、筬前８ｂには、白鍵２および黒鍵３に相当する位置に、多数のフロントピン１２が立設されている。バランスピン１１およびフロントピン１２は、例えば真鍮で構成され、円形の断面を有している。また、両ピン１１、１２の基部には、ドーナッツ状のパンチングクロス８ｃが設けられている。
【００２２】
また、筬後９には、フェルトで構成された鍵盤枕９ａが貼り付けられており、離鍵状態では、この鍵盤枕９ａに鍵１０の後部が着座している。
【００２３】
図１などに示すように、鍵１０は、そのバランスピン孔４がバランスピン１１に、フロントピン孔５がフロントピン１２に、それぞれ係合した状態で、筬８に取り付けられている。
【００２４】
以上の構成によれば、鍵１０は、押鍵されると、バランスピン１１によって案内されながら、バランスピン孔４の丸孔部４ａが係合するバランスピン１１の基部を中心として、回動する。この回動の際、フロントピン１２によって、鍵１０の左右方向のぶれが防止される。
【００２５】
また、図３および図５に示すように、鍵１０の回動に伴い、バランスピン孔４のブッシングクロス４ｄ、４ｄおよびフロントピン孔５のブッシングクロス５ｂ、５ｂはそれぞれ、バランスピン１１およびフロントピン１２に摺接し、その滑性と柔軟性によって、押鍵時における鍵１０のがたつきやノイズの発生を抑制する役割を果たす。
【００２６】
本実施形態では、これらのブッシングクロス４ｄ、５ｂがフッ素樹脂の繊維で構成されているので、湿度などの環境が変化した場合でも、膨潤したり収縮したりせず、左右のブッシングクロス４ｄ、４ｄ間、および５ｂ、５ｂ間の間隔がほぼ一定に保たれる。また、フッ素樹脂が高い耐摩耗性および滑性を有するとともに、ブッシングクロス４ｄ、５ｂを構成する繊維全体がフッ素樹脂で構成されているので、長期間の使用によりブッシングクロス４ｄ、５ｂの表面部分が摩耗したとしても、ブッシングクロス４ｄ、５ｂの耐摩耗性および滑性は良好に維持される。その結果、ブッシングクロス４ｄ、５ｂの摩耗の進行による鍵１０のがたつきや、滑性の低下によるノイズが生じることなく、鍵１０の滑らかな回動動作を安定して確保することができる。
【００２７】
また、ブッシングクロス４ｄ、５ｂを構成する繊維全体がフッ素樹脂で構成されているので、従来のブッシングクロスと異なり、フッ素樹脂をコーティングするための含浸などの工程は不要であり、本実施形態のように、市販のフッ素樹脂の繊維シートを用いることが可能になる。その結果、ブッシングクロス４ｄ、５ｂの製造コストを削減でき、鍵１０をより安価に製造することができる。
【００２８】
図６は、本実施形態によるブッシングクロスに対して行った耐久試験の結果を、比較例とともに示している。この比較例は、羊毛繊維で構成された通常のブッシングクロスである。また、耐久試験は、バランスピン孔に、羊毛繊維で構成されたブッシングクロスを共通に取り付け、フロントピン孔に実施形態および比較例のブッシングクロスをそれぞれ取り付けた鍵を、筬上に組み立てた後、試弾機を用いて２００万回、打鍵することによって行った。
【００２９】
同図に示すように、試験の結果、比較例では、ブッシングクロスの表面が白く変色するとともに、フロントピンとの摩擦抵抗が大きくなり、タッチが悪化していることが確認された。これに対して、実施形態では、ブッシングクロスの外観およびタッチ感の変化がまったく認められず、耐摩耗性および滑性が良好に維持され、その耐久性が向上していることが確認された。
【００３０】
なお、本発明は、上述した実施形態に限定されることなく、種々の態様で実施することができる。例えば、実施形態は、ブッシングクロスの繊維を構成するフッ素樹脂として、ＰＴＦＥを用いた例であるが、これに限定されることなく、他の適当なフッ素樹脂を用いてもよい。また、実施形態では、フッ素樹脂の繊維で構成されたブッシングクロスを、バランスピン孔およびフロントピン孔の双方に取り付けているが、いずれか一方に取り付けてもよい。
【００３１】
さらに、実施形態は、本発明をアップライトピアノに適用した例であるが、ピンとの係合部にブッシングクロスを用いる鍵を有する他の鍵盤楽器、例えばグランドピアノなどに適用してもよい。その他、細部の構成を、本発明の趣旨の範囲内で適宜、変更することが可能である。
【図面の簡単な説明】
【００３２】
【図１】本発明による鍵を用いたアップライトピアノの鍵盤装置を示す斜視図である。
【図２】バランスピンと鍵との係合部を示す部分縦断面図である。
【図３】バランスピンと鍵との係合部を示す部分横断面図である。
【図４】フロントピンと鍵との係合部を示す部分縦断面図である。
【図５】フロントピンと鍵との係合部を示す部分横断面図である。
【図６】ブッシングクロスに対して行った耐久試験の結果を示す図である。
【符号の説明】
【００３３】
１    鍵盤装置
２    白鍵（鍵）
２ａ  鍵本体
３    黒鍵（鍵）
３ａ  鍵本体
４    バランスピン孔（ピン孔）
４ｃ  バランスピン孔の壁面
４ｄ  ブッシングクロス
５    フロントピン孔（ピン孔）
５ａ  フロントピン孔の壁面
５ｂ  ブッシングクロス
１０    鍵
１１    バランスピン（ピン）
１２    フロントピン（ピン）
【図１】
2009025344.tif 000003
【図２】
2009025344.tif 000004
【図３】
2009025344.tif 000005
【図４】
2009025344.tif 000006
【図５】
2009025344.tif 000007
【図６】
2009025344.tif 000008